(57)【特許請求の範囲】
【請求項１】
フイルムシートである広告表示面を表裏の両面に備えた組立て式の広告装置において、
前記広告装置の縦および横の外枠部材を構成する主フレームに、当該主フレームを補強するための複数の横部材を締結した主フレーム構造体と、
前記広告装置の縦および横の額縁部材で構成された額縁フレームに、当該額縁フレームを補強する複数の横部材を締結し、かつ前記広告表示面を固定するとともに、前記主フレーム構造体の表裏の両面に、開閉可能に組み付けられた２つの額縁フレーム構造体と、を備え、
前記額縁フレーム構造体は、
前記額縁フレームの外周面上であり且つ前記広告表示面と直交する方向において前記広告表示面よりも前記主フレーム構造体の中央寄りに設けられる凹所と、
前記広告表示面を前記凹所に固定するテンションバーと、
前記額縁フレームの前記広告表示面が配置される側の外側縁部から前記凹所までの範囲を少なくともカバーする外装カバーと、
前記広告表示面と直交する方向における前記凹所よりも前記主フレーム構造体の中央寄りの２つの固定箇所で前記外装カバーを前記額縁フレームに固定するとともに、前記２つの固定箇所の内の前記広告表示面に近い側の固定箇所は、前記外装カバーが前記額縁フレームに固定された状態における前記外装カバーの前記額縁フレームに対向する側に設けられ前記広告表示面側に傾斜するように突出する突起部と、前記額縁フレームの前記外装カバーに対向する側に前記突起部の傾斜角度に対応する角度で形成されている溝部とを嵌合させることにより前記外装カバーを前記額縁フレームに固定しており、前記２つの固定箇所の内の前記広告表示面から遠い側の固定箇所は、前記外装カバーにおける前記広告表示面に近接しない側の端部に設けられる凹部内壁の、前記外装カバーが前記額縁フレームに固定された状態において前記外装カバー外周面外側からは見えない位置に形成されている貫通孔に挿通したネジにより、前記外装カバーを前記額縁フレームに形成されたネジ孔に締結している、固定部と、
を備えることを特徴とする組立て式広告装置。
【請求項２】
前記主フレーム構造体を構成する横の外枠部材と横部材の間、および横部材同士の間の少なくとも一つにブレースを設けたことを特徴とする請求項１に記載の組立て式広告装置。
【請求項３】
前記主フレーム構造体を構成する主フレームとその横部材、前記額縁フレーム構造体を構成する額縁フレームとその横部材がアルミの押し出し材であることを特徴とする請求項１または２に記載の組立て式広告装置。
【請求項４】
前記主フレーム構造体を構成する横部材の一部または全部の断面形状がメガネ枠状であることを特徴とする請求項３に記載の組立て式広告装置。
【請求項５】
前記主フレーム構造体の表裏の両面に組み付けた前記額縁フレーム構造体の前記主フレーム構造体への左右の取り付けのうち少なくとも一方を蝶番式としたことを特徴とする請求項１乃至４に記載の組立て式広告装置。
【請求項６】
前記額縁フレーム構造体が、前記額縁フレームと当該額縁フレームを前記主フレーム構造体に取り付ける締結部品のみで構成されていることを特徴とする請求項１に記載の組立て式広告装置。
【発明の詳細な説明】
【０００１】
【発明の属する技術分野】
本発明は、縦および横部材で構成された本体構造を有し、フイルムシートまたはハードボードを広告表示面とした組立て式広告装置に関するものである。
【０００２】
【従来の技術】
従来より、既製のＨ形鋼、Ｌ形鋼等を縦および横部材とし、それらの部材をビス止めや溶接接合によって本体構造を構成し、広告内容の表示された塩化ビニール製のフイルムシートを固定部材を用いてその本体構造の表裏の両面に固定して広告表示面とし、本体構造の外周４辺を化粧カバーで覆った組立て式広告装置が使用されている。
【０００３】
また、広告表示面をフイルムシートとしたものに対して、アクリル製のハードボードとしたものは、フイルムシートを使用したものに対して重くなるが、フイルムシートの弛みを防止するためにフイルムシートに均一な張力を与えるための機構が不要で構造が簡素化できるため、アクリル製のハードボードを使用したものも適宜使用されている。
【０００４】
【発明が解決しようとする課題】
しかしながら、従来の組立て式広告装置は、既製のＨ形鋼やＬ形鋼を縦および横部材とし、それらの部材を締結するための複雑なブラケット類を介してビス止めや溶接接合によって本体構造を構成し、この本体構造に広告内容の表示されたフイルムシートを固定部材によって本体構造の表裏に固定し、本体構造の外周４辺を化粧カバーで覆ったものであるため、所定の強度・剛性の確保が容易でなく、所定の強度・剛性を確保するには構造が複雑で重量が重く組立てに工数が掛かり、また照明灯の交換や内部の清掃等の保守にも費用が嵩むという問題があった。
【０００５】
本発明は、軽量で強度・剛性が高くて組立て工数が少なく、照明灯の交換や内部の清掃等の保守が容易で、かつ新たな縦または横部材の製作型を必要とせず広告表示面の縦および横寸法の異なるバリエーションへの対応が容易で、製造の簡素化と製造コストの安価な組立て式広告装置を提供することを目的とする。
【０００６】
【課題を解決するための手段】
前記目的を達成するため、第１の発明は、フイルムシートである広告表示面を表裏の両面に備えた組立て式の広告装置において、前記広告装置の縦および横の外枠部材を構成する主フレームに、当該主フレームを補強するための複数の横部材を締結した主フレーム構造体と、前記広告装置の縦および横の額縁部材で構成された額縁フレームに、当該額縁フレームを補強する複数の横部材を締結し、かつ前記広告表示面を固定するとともに、前記主フレーム構造体の表裏の両面に、開閉可能に組み付けられた２つの額縁フレーム構造体と、を備え、前記額縁フレーム構造体は、前記額縁フレームの外周面上であり且つ前記広告表示面と直交する方向において前記広告表示面よりも前記主フレーム構造体の中央寄りに設けられる凹所と、前記広告表示面を前記凹所に固定するテンションバーと、前記額縁フレームの前記広告表示面が配置される側の外側縁部から前記凹所までの範囲を少なくともカバーする外装カバーと、前記広告表示面と直交する方向における前記凹所よりも前記主フレーム構造体の中央寄りの２つの固定箇所で前記外装カバーを前記額縁フレームに固定するとともに、前記２つの固定箇所の内の前記広告表示面に近い側の固定箇所は、前記外装カバーが前記額縁フレームに固定された状態における前記外装カバーの前記額縁フレームに対向する側に設けられ前記広告表示面側に傾斜するように突出する突起部と、前記額縁フレームの前記外装カバーに対向する側に前記突起部の傾斜角度に対応する角度で形成されている溝部とを嵌合させることにより前記外装カバーを前記額縁フレームに固定しており、前記２つの固定箇所の内の前記広告表示面から遠い側の固定箇所は、前記外装カバーにおける前記広告表示面に近接しない側の端部に設けられる凹部内壁の、前記外装カバーが前記額縁フレームに固定された状態において前記外装カバー外周面外側からは見えない位置に形成されている貫通孔に挿通したネジにより、前記外装カバーを前記額縁フレームに形成されたネジ孔に締結している、固定部と、を備えることを特徴とする組立て式広告装置にある。
【０００７】
第２の発明は、 前記主フレーム構造体を構成する横の外枠部材と横部材の間および横部材同士の間の少なくとも一つにブレースを設けたことを特徴とする前記第１の発明に係る組立て式広告装置にある。
【０００８】
第３の発明は、前記主フレーム構造体を構成する主フレームとその横部材、前記額縁フレーム構造体を構成する額縁フレームとその横部材がアルミの押し出し材であることを特徴とする前記第１または第２の発明に係る組立て式広告装置にある。
【０００９】
第４の発明は、前記主フレーム構造体を構成する横部材の一部または全部の断面形状がメガネ枠状であることを特徴とする前記第３の発明に係る組立て式広告装置にある。
【００１０】
第５の発明は、上下に一対に配置した断面形状がメガネ枠状である前記横部材のレンズ相当部に設けた雌ネジを使用してアンカー部にボルト止めしたことを特徴とする前記第４の発明係る組立て式広告装置にある。
【００１１】
第６の発明は、前記主フレーム構造体の表裏の両面に組み付けた前記額縁フレーム構造体の前記主フレーム構造体への左右の取り付けのうちの少なくとも一方を、蝶番式としたことを特徴とする前記第１乃至第５の発明に係る組立て式広告装置にある。
【００１２】
第７の発明は、前記広告表示面がフイルムシートであることを特徴とする前記第１乃至６の発明に係る組立て式広告装置にある。
【００１３】
第８の発明は、前記広告表示面がハードボードであることを特徴とする前記第１乃至６の発明に係る組立て式広告装置にある。
【００１４】
第９の発明は、前記額縁フレーム構造体が、前記額縁フレームと当該額縁フレームを前記主フレーム構造体に取り付ける締結部品のみで構成されていることを特徴とする前記第７または第８の発明に係る組立て式広告装置にある。
【００１５】
【発明の実施の形態】
（第１の実施の形態）
まず、第１の実施の形態を図１乃至図９に基づいて説明する。図１は、本発明の第１の実施の形態の正面図、図２は、図１に対する側面図、図３は、図１の縦断面図、図４は、本発明の第１の実施の形態のアンカー部の横断面図、図５は、本発明の第１の実施の形態の一般部の横断面図、図６は、図４の主フレームおよび額縁フレーム部の拡大図、図７は図３のブレース締結部の詳細図、図８は本発明の第１の実施の形態の額縁フレーム締結部の簡略図であり、右側は図６の矢視Ｍを左側は図６の矢視Ｎを示している。
【００１６】
図１、図２において、１００は組立て式広告装置であり、本広告装置の構造上の主体をなす主フレーム構造体１０１と、塩化ビニール製のフイルムシートからなる広告表示面２を支持し固定する額縁フレーム構造体１０２とから構成されている。
【００１７】
主フレーム構造体１０１と額縁フレーム構造体１０２とは後述するように開閉可能に組立てられており、広告装置１００は建造物の壁面Ｗ等に後述のアンカー１１によって片持ち構造で懸架されている。
【００１８】
図３、図４において、３は主フレーム構造体１０１を構成する主フレームであって、アルミの押し出し成形材からなり、縦２本の外枠部材３−１と横２本の外枠部材３−２で構成され外表面は化粧面となっている。
【００１９】
これら縦２本と横２本の部材はコーナプレート１６を介して相互にセルフタッピングビスで止められている（図７）。
【００２０】
４−１は断面形状がメガネ枠状のアルミの押し出し成形材からなり、主フレーム構造体１０１を構成する第１横部材である。
【００２１】
この第１横部材４−１の一端は断面形状がメガネ枠状のレンズ相当部に施された雌ネジとボルト２０により縦の外枠部材３−１と後述するアンカー補強材１４に締結され、他端はブラケット５を介して主フレーム３にセルフタッピングビスで止められている。
【００２２】
本実施の形態では、主フレーム構造体１０１は上下２本を一対とした第１横部材４を３組有し、対応する３個のアンカー１１に前記のボルト２０で締結されている。
【００２３】
図３、図５において、８は断面形状が中空角状のアルミの押し出し成形材からなり、前後２本が対となって主フレーム構造体１０１を構成する第２横部材 である。
【００２４】
その第２横部材８の両端はアルミ製のＬ字状ブラケット５を介して、縦の外枠部材３−１に締結されている。第２横部材８とブラケット５とは通しボルトにより、縦の外枠部材３−１とブラケット５とはセルフタッピングビスで止められている（図５）。
【００２５】
本実施の形態では、第２横部材８は上下２本を一対とした第１横部材４同士の間に２本づつ合計４本備えられている。
【００２６】
また、上段に位置する横の外枠部材３−２と第１横部材４−１間には断面が長方形のブレース６−１が斜めに２本、第１横部材４−１と第２横部材８、第２横部材８同士間には同様に断面形状が長方形のブレース６−２が襷状に設けられている。
【００２７】
ブレース６−１の一端は通しボルトにより横の外枠部材３−２の箱型断面部に、他端は第１横部材４−１の断面形状がメガネ枠状のレンズ相当部に固定されている（図７）。
【００２８】
ブレース６−２の端末は通しボルトにより、第１横部材４−１の断面形状がメガネ枠状のレンズ相当部または第２横部材８の角形断面部に固定されている。
【００２９】
図３乃至図６において、７は断面形状が中空３角形状の押し出し成形材からなり、縦２本の額縁部材７−１と、横２本の額縁部材７−２で構成された額縁フレームである。
【００３０】
この縦２本と横２本の額縁部材は、中空３角形状断面の外側斜面部では蝶型プレート１７を介して、内側垂直面部ではステンレス製のＬ字状コーナプレート１８を介してセルフタッピングビスで止められている（図８）。
【００３１】
また、額縁フレーム構造体１０２には主フレーム構造体１０１の第２横部材８と高さが等しい位置に断面形状が中空台形状の第３横部材９が設けられ、その第３横部材９の両端が縦の額縁部材７−１に直接セルフタッピングビスで止められている。
【００３２】
この額縁フレーム構造体１０２は、左右両端の一方（本実施の形態においてはアンカー側）をセルフタッピングビスにより止められた蝶番１５−１で、他方はセルフタッピングビスにより止められた４角ピース１５−２により、主フレーム構造体１０１に対して開閉可能に固定されている。
【００３３】
１は額縁フレーム７の外表面に装着された外装カバーであり、アルミの押し出し成形材で構成され額縁フレーム構造体１０２の４辺のすべてを覆っている。
【００３４】
広告表示面２を構成する塩化ビニール製のフイルムシートは、その左右および上下の一端を額縁フレーム７の凹所Ａに位置合わせしてその外側からテンションバー１０をセルフタッピングビスで額縁フレーム７に止め、その後フイルムシートの左右および上下の他端に適度の張力を与えながらテンションバー１０をセルフタッピングビスで額縁フレーム７に止めてフイルムシートを額縁フレーム構造体１０２に張り付けられている。
【００３５】
額縁フレーム７の凹所Ａの底面とテンションバー１０の下面には小さな凹凸が設けられており、フイルムシートの張り付け作業時の滑りを抑制して適度のテンションが与えられている。
【００３６】
フイルムシートが額縁フレーム７に張り付けられた後、額縁フレーム７の凹部７ー１に外装カバー１の突起１ー１を嵌合させてビス２３で外装カバー１を額縁フレーム７に固定する。
【００３７】
図４、図９において、１２−１は断面形状が略コの字状の鋼板製のブラケット、１２−２は断面形状がＺ字状の鋼板製の補強材、１４は広告装置本体とアンカー１１との締結面となるステンレス製のアンカー補強板である。これらの部品はボルト・ナット類２１−１、２１−２、２１−３によって組み付けされてアンカー１１が構成されている。１３はアルミ製のアンカーカバーでありアンカー１１の側面を覆っている。
【００３８】
前記ボルト２０によりアンカー１１が取り付けられた組立て式広告装置は、建造物の壁面Ｗ等に埋め込まれたアンカーボルト１９−１にダブルナット１９−２で固定され建造物の壁面Ｗ等に懸架される。最後にアンカーカバー１３がセルフタッピングビス２１−４によりアンカー１１に取り付けられる。
【００３９】
本実施の形態にかかる広告装置１００は以上の構成により、主フレーム構造体１０１は剛性が高く、かつ軽量の閉断面アルミ押し出し成形材を構成部材とし、また、各構成部材は閉断面で剛性の高い部分が直接またはブラケット、コーナプレート等の補強材を介してボルト・ナットあるいはタッピングビスによって相互に止められているので、構造体全体として剛性が高く軽量で安定した強度を有している。
【００４０】
また、主フレーム３はフラットなアルミの外表面を有するので、当部には外装カバーを設ける必要性がない。
【００４１】
また、額縁フレーム構造体１０２はセルフタッピングビスにより止められた蝶番１５−１と４角ピース１５−２により主フレーム構造体１０１に止められ、４角ピース側のセルフタッピングビスを外すことにより開閉可能となるので、広告装置１００の内部の清掃や照明灯（不図示）の交換等の保守点検が高所の作業であっても容易にできる。
【００４２】
また、額縁フレーム構造体１０２は、主フレーム構造体１０１に組み付け後は両者が一体となって構造体を形成することになるので、額縁フレーム構造体１０２としては補強のためにブレースを必要とせず軽量化が可能となっている。
【００４３】
主フレーム構造体１０１とアンカーの締結は上下２本を一対とした第１横部材４の断面形状がメガネ枠状のレンズ相当部の雌ネジを使用し、アンカー１１の板厚の厚い補強板１４に直接ボルト止めされているので高い強度・剛性の確保に有利であり、強風時にも十分な強度を有する組立て式広告装置１００の提供を可能としている。
【００４４】
また、主フレーム３、第１横部材４−１、第２横部材８、額縁フレーム７、第３横部材９の５種類のアルミ押し出し型を製作し、押し出し成形した長尺の各部材を用意しておくだけで、縦および横寸法の異なる広告装置１００に対しても各部材を所定の寸法に切断して使用するればよく、縦および横寸法の異なるバリエーションへの対応が容易な組立て式広告装置１００を提供することができる。
【００４５】
本発明に係る広告装置１００は本実施の形態に限定されるものではなく、第２横部材４−１、第３横部材９の数は、広告装置１００の縦および横寸法にあわせて適宜増減されるものであり、第３横部材９を省略することも可能である。
【００４６】
また、主フレーム構造体１０１の横部材は第１横部材４−１に統一することも容易になされることである。
【００４７】
また、ブレースは板状材に限定されるものではなく、スチール製ワイヤや箱型断面材を使用することも容易になされることである。
【００４８】
また、主フレーム構造体１０１および画縁フレーム構造体１０２の複数の縦横部材の締結はボルト・ナット、セルフタッピングビスに限らず溶接接合やリベット締結とすることも容易になされることである。
【００４９】
さらに、建造物の壁面Ｗの形状等との関連において保守点検の容易な額縁フレーム構造体の開閉を可能とするため、蝶番１５−１は額縁フレーム構造体１０２の左右の両側に設けても良く、建造物等に対して反対側に設けても良い。
【００５０】
（第２の実施の形態）
次に、第２の実施の形態を図１０乃至図１２に基づいて説明する。
【００５１】
図１０は、本発明の第２の実施の形態のアンカー部の横断面図、図１１は図１０の主フレームおよび額縁フレーム部の拡大図、図１２は本発明の第２の実施の形態の額縁フレーム締結部の簡略図である。
【００５２】
本実施の形態は、第１の実施の形態の広告表示面をフイルムシートからハードボードに置換え、それに合せて額縁フレームをハードボードに適合する形状としたものであり、その他の部位は第１の実施の形態と同一である。同一の部位には同一の符号を付して説明を省略する。
【００５３】
図１０乃至図１２において、２’は広告表示面であり、アクリル製のハードボードである。
【００５４】
７’はアルミの押し出し成形材からなり、縦２本の額縁部材７’ー１と横２本の額縁部材７’−２で構成された額縁フレームである。
【００５５】
この額縁フレーム７’は、縦２本と横２本の部材がＬ字状コーナプレート１８’を介してセルフタッピングビスで止められ額縁フレーム構造体１０２’を構成している。
【００５６】
ハードボードの左右両端末の一方には強風時等における額縁フレーム構造体１０２’からの外れ防止のためアクリル製の小片Ｂが溶着されている。
【００５７】
ハードボードの組み込まれた額縁フレーム構造体１０２’は主フレーム構造体１０１にセルフタッピングビスで止められて広告装置１００’が構成されている。
【００５８】
そして、縦または横（建造物側は除く）の内の一箇所の額縁部材を取外し、外した額縁部材側へハードボードを引き出して広告装置内部の清掃や照明灯（不図示）の交換を容易に行うことができる。
【００５９】
また、ハードボード用の額縁フレームを製作するためのアルミの押し出し型を１つ用意するのみで、他のアルミの押し出し型はフイルムシート用を共用することができるので、第１の実施の形態の組立て式広告装置の特徴を有し、広告表示面をアクリル製のハードボードとした組立て式広告装置１００’を極めて容易に提供することができる。
【００６０】
【発明の効果】
請求項１に係る発明によれば、軽量で、高い強度と剛性を有し、製作が容易で、広告装置内部の清掃や照明灯の交換等の保守点検が容易で、かつ縦または横寸法の異なるバリエーションへの対応が容易な組立て式広告装置を提供できるという効果が得られる。
【００６１】
請求項２に係る発明によれば、僅かの部材数と重量の増加で強度・剛性の高い大型の広告装置を提供できるという効果が得られる。
【００６２】
請求項３に係る発明によれば、請求項１または２に係る発明の効果を有し、さらに軽量化することが可能になるという効果が得られる。
【００６３】
請求項４または５に係る発明によれば、請求項３に係る発明の効果を有し、さらに強度・剛性の向上を図ることができ、ひいては、横部材またはブレースの簡素化が可能となり軽量化とコストの低減が可能となるという効果が得られる。
【００６４】
請求項６に係る発明によれば、請求項１乃至５に係る発明の効果を有し、さらに保守点検が容易になるという効果が得られる。
【００６５】
請求項７に係る発明によれば、請求項１乃至６に係る発明の効果を有し、広告表示面がフイルムシートである組立て式広告装置を容易に提供できるという効果が得られる。
【００６６】
請求項８に係る発明によれば、請求項１乃至６に係る発明の効果を有し、広告表示面がハードボードである組立て式広告装置を容易に提供できるという効果が得られる。
【００６７】
請求項９に係る発明によれば、請求項７または８に係る発明の効果を有し、特に小型の広告表示装置に対して軽量化とコストの低減が可能となるという効果が得られる。
【図面の簡単な説明】
【図１】本発明の第１の実施の形態の正面図
【図２】図１に対する側面図
【図３】図１の縦断面図
【図４】本発明の第１の実施の形態のアンカー部の横断面図
【図５】本発明の第１の実施の形態の一般部の横断面図
【図６】図４の主フレームおよび額縁フレーム部の拡大図
【図７】図３のブレース締結部の詳細図
【図８】本発明の第１の実施の形態の額縁フレーム締結部の簡略図
【図９】図１のアンカー部の詳細図
【図１０】本発明の第２の実施の形態のアンカー部の横断面図
【図１１】図１０の主フレームおよび額縁フレーム部の拡大図
【図１２】本発明の第２の実施の形態の額縁フレーム締結部の簡略図
【符号の説明】
１００、１００’ ・・ 組立て式広告装置
１０１ 、１０１’・・ 主フレーム構造体
１０２、１０２’ ・・ 額縁フレーム構造体
１ ・・ 外装カバー
２、２’ ・・ 広告表示面
３ ・・ 主フレーム
３−１ ・・ 縦の外枠部材
３−２ ・・ 横の外枠部材
４ ・・ 上下２本を一対とした第１横部材
４−１ ・・ 第１横部材
５ ・・ Ｌ字状ブラケット
６−１，６−２ ・・ ブレース
７、７’ ・・ 額縁フレーム
７−１、７’−１ ・・ 縦の額縁部材
７−２、７’−２ ・・ 横の額縁部材
８ ・・ 第２横部材
９ ・・ 第３横部材
１０ ・・ テンションバー
１１ ・・ アンカー
１２−１ ・・ ブラケット
１２−２ ・・ 補強材
１３ ・・ アンカーカバー
１４ ・・ アンカー補強板
１５−１ ・・ 蝶番
１５−２ ・・ ４角ピース
１６ ・・ コーナプレート
１７ ・・ 蝶型プレート
１８、１８’ ・・ Ｌ字状コーナプレート
１９−１ ・・ アンカーボルト
１９−２ ・・ ダブルナット
Ｗ ・・ 建造物の壁面
【図１】
0004712984.tif 000002
【図２】
0004712984.tif 000003
【図３】
0004712984.tif 000004
【図４】
0004712984.tif 000005
【図５】
0004712984.tif 000006
【図６】
0004712984.tif 000007
【図７】
0004712984.tif 000008
【図８】
0004712984.tif 000009
【図９】
0004712984.tif 000010
【図１０】
0004712984.tif 000011
【図１１】
0004712984.tif 000012
【図１２】
0004712984.tif 000013